(57)【要約】      （修正有）【課題】簡単に様々な撮影が行えるレンズフィルター付きスマートフォンケースを提供する。【解決手段】回転式レンズフィルターを有するスマートフォンケースであって、焦点距離の異なる複数のレンズ部７、８、９と複数の非円形又は円形のフレーム５からなるフィルター部とを備えたレンズフィルター１１と、レンズフィルターを回転かつ脱着可能にスマートフォンケースに取り付けるためのレンズフィルターカバーとを有する。レンズフィルターカバーの一部にレンズフィルターを露出するための切り欠きを有し、レンズフィルター露出部を回転させることにより交換レンズ又はフレームを選択可能とすることが好ましい。【選択図】図３
0003195024.tif 000002
【実用新案登録請求の範囲】
【請求項１】
回転式レンズフィルターを有するスマートフォンケースであって、焦点距離の異なる複数のレンズ部と複数の非円形又は円形のフレームからなるフィルター部とを備えたレンズフィルターと、レンズフィルターを回転かつ脱着可能にスマートフォンケースに取り付けるためのレンズフィラーカバーとを有することを特徴とするレンズフィルター付スマートフォンケース。
【請求項２】
レンズフィルターカバーの一部にレンズフィルターを露出するための切り欠きを有し、該レンズフィルター露出部を回転させることにより用いる交換レンズ又はフレームを選択可能とすることを特徴とする請求項１記載のスマートフォンケース。
【考案の詳細な説明】
【技術分野】
【０００１】本考案は、複数の回転レンズによりカメラ撮影を容易にするためのレンズフィルター及び異形フレーム付スマートフォンケースに関する。
【背景技術】
【０００２】従来のスマートフォンのケースはスマートフォン本体を保護するという目的だけで構成されている。【０００３】しかしながら、従来のスマートフォンのケースは単なるスマートフォン本体を保護する機能だけを持っているという欠点があった。【０００４】本考案は、落下などによる衝突の時もスマートフォン本体のカメラレンズを保護するレンズカバー機能も兼ね備えるという利点がある。【０００５】特許文献１には、携帯電話用カメラのレンズ前面に装着置される交換レンズ、並びに各種フィルター等のアタッチメントは、両面テープを介して前記カメラレンズ前面に粘着される構成となし、該両面テープを介して粘着された交換レンズ、並びに各種フィルター等のアタッチメントは使用終了後両面テープ部を剥がすことにより任意に携帯電話用カメラのレンズ前面から取り外すことが可能に構成されている携帯電話用カメラ等における交換レンズ並びにフィルターのマウント装置である事が記載されている。【０００６】問題点としては、レンズをいちいち取り外す必要があった。
【先行技術文献】
【特許文献１】特開２００７−２０６１３７号  公開
【考案の概要】
【考案が解決しようとする課題】
【０００７】本考案は、以上のような従来の欠点に鑑み、スマートフォン本体に回転式レンズ付きのスマートフォンケースを装着することで様々な撮影が楽しめるというレンズフィルター付スマートフォンケースを提供することを目的としている。
【課題を解決するための手段】
【０００８】本考案は
（１）回転式レンズフィルターを有するスマートフォンケースであって、焦点距離の異なる複数のレンズ部と複数の非円形又は円形のフレームからなるフィルター部とを備えたレンズフィルターと、レンズフィルターを回転かつ脱着可能にスマートフォンケースに取り付けるためのレンズフィラーカバーとを有することを特徴とするレンズフィルター付スマートフォンケース。
（２）レンズフィルターカバーの一部にレンズフィルターを露出するための切り欠きを有し、該レンズフィルター露出部を回転させることにより用いる交換レンズ又はフレームを選択可能とすることを特徴とする（１）記載のスマートフォンケースである
本考案においては、レンズ部は例えば焦点距離の異なるレンズ部を複数枚有していることが必要である  レンズには望遠効果、広角効果、マクロ効果、魚眼効果、ボケ効果、三焦点効果などがある非円形又は円形のフレームとは、花柄、円形、星形、ハート型、四角形、六角形などの異形開口部を有するフレームとを有するレンズフィルターである、三焦点効果とは円形のレンズ部を３分割することにより一つのランプが３つあるように見えるレンズを意味する  レンズフィルターはポリアクリロニトリル、ポリカーボネート、ガラスなどの素材を用いることができる
レンズフィルターカバーは一般的な樹脂、例えばポリアクリル樹脂、ＡＢＳ樹脂、ポリエチレン、ポリプロピレン、ポリスチレンなどが好適に用いることができる
スマートフォンケースは素材としてポリカーボネート樹脂、ＡＢＳ、シリコン樹脂などを用いることができる。【０００９】レンズフィルターは、円形で側部に切込を有し指で回転をスムーズに行う事が出来るのが好ましい
スマートフォンケースに、はめ込めた時に、回転感を与えることが出来る
レンズフィルターを回す事によって焦点距離を変える事が出来ると共に、回転させる事により、異形フレームは、特定の形により、星形とか、ハート形とか等、その様な形に光、等がピンボケし撮影を楽しむ事も出来る  フレームはプラスチック樹脂でも金属製であっても良い
レンズフィルターは、交換レンズの焦点距離を変える事によりレンズ部により、近くの物や遠くの広い範囲を撮影する事も出来る
スマートフォンケースは、スマートフォンのレンズ部に開口部を有し、フレームがあってそれに円形のフレーム受けが有り、円形の焦点距離が異なるレンズを有するレンズフィルターを取り付部に固定する為のケースである
色は、透明でも着色でも良い
スマートフォンケースには、レンズフィルターカバー取り付の為のノッチがあって突起部ではめ込む事により固定するのが好ましい。【００１０】スマートフォンケースに、レンズフィルター、異形フレームを取り付け、カバーで一体化するスマートフォンケースは、より好ましい構成である  樹脂には無色透明であっても着色しても良い。【００１１】上記目的を達成するために、本考案は、スマートフォンケースにレンズフィルター、異形フレームを取り付け保護カバーで一体化するスマートフォンケースを構成している。
【考案の効果】
【００１２】スマートフォンを利用した様々な撮影ができる
レンズフィルターを、回転させる事により、異形フレームは特定の形により、星形とか、ハート形とか等、その様な形に光、等がピンボケし撮影を楽しむ事も出来るし、交換レンズの焦点距離を変える事によりレンズ部により、望遠効果、広角効果、マクロ効果、魚眼効果、ボケ効果、三焦点効果、等の撮影する事が出来る
スマートフォン本体のカメラレンズを保護するレンズカバー機能も兼ね備えるという効果がある。
【図面の簡単な説明】
【００１３】
【図１】本考案の一体化したスマートフォンケース断面図である。
【図２】本考案のスマートフォンケース断面図である。
【図３】本考案のスマートフォンケースに取り付ける手動回転式レンズフィルター及び異形フレーム断面図である。
【図４】本考案のスマートフォンケースの手動回転式レンズ保護カバーの断面図である。
【考案を実施するための形態】
【００１４】本考案を実施例でもって説明する
本考案のスマートフォンケースは全体図面寸法として、横７５ｍｍ×縦１４０ｍｍ×枠深さ１０ｍｍでポリカーボネート製である
本考案のスマートフォンケースは、本体を保護する事はもちろん、レンズ部に開口部を有し、フレームがあってそれに円形のフレーム受けが有り、焦点距離が異なるレンズを有するレンズフィルターを取り付部に固定する為のケースである
色は、透明である
図３に示すように、本考案のスマートフォンケースに取り付ける手動回転式レンズフィルター、異形フレームについて、説明する
レンズフィルターは、円形で側部に切込を有し回転をスムーズに行う事が出来る
回転させる事により、異形フレームは特定の形により、星形とか、ハート形とか等、その様な形に光、等がピンボケし撮影を楽しむ事も出来るし、交換レンズの焦点距離を変える事によりレンズ部により、望遠効果、広角効果、マクロ効果、魚眼効果、ボケ効果、三焦点効果、等の撮影する事が出来る
スマートフォン本体のカメラレンズを保護するレンズカバー機能も兼ね備えるという効果がある
レンズフィルター、異形フレーム部の色は、撮影環境により、透明でも着色でも良い
材質：アクリル樹脂を使用し直径４４ｍｍの円形に仕上げた
図４に示すように、本考案のレンズフィルターカバーには上部に４ｍｍの切り込みを有し、組み立てたときにレンズフィルターが露出し、この部分を回転させることにより好みの交換レンズや畏敬のフレームを選択することが出来た  レンズフィルターカバーは、突起部によりスマートフォンケースの対応する位置にある切れ込み部に嵌合することにより全体を固定することが出来る。
【産業上の利用可能性】
【００１５】スマートフォンのケースに用いる事が出来る。
【符号の説明】
【００１６】  １：スマートフォンケース全体図
２：開口部
３：レンズフィルターカバー取り付ノッチ
４：円形のレンズフィルター取り付部
５：フレーム
６：空孔部
７：マクロレンズ
８：三焦点レンズ
９：ボケレンズ
１０：取り付の為のノッチ
１１：レンズフィルター
１２：切込部
１３：レンズ合わせ部
１４：レンズフィルターカバー
１５：スマートフォンケース取り付突起部
【図１】
0003195024.tif 000003
【図２】
0003195024.tif 000004
【図３】
0003195024.tif 000005
【図４】
0003195024.tif 000006